(57)【要約】【課題】標準として使用する排紙口の排紙台に積載される用紙を低減することができる印刷装置を提供する。【解決手段】印刷装置１は、原稿画像のすべてのページの画像処理が終了するまでは、画像処理が終了したページ順に印刷を行い、印刷された用紙を、標準として使用する排紙台であるフェイスダウン排紙台６２に排紙し、原稿画像のすべてのページの画像処理終了後、ページの逆順に印刷を行ってフェイスアップ排紙台４２に排紙する。【選択図】図１
2010095326.tif 000002
【特許請求の範囲】
【請求項１】
用紙に印刷を行う印刷部と、
入力された印刷ジョブに含まれる印刷対象の原稿画像の画像データを原稿画像のページ順に、前記印刷部による印刷に用いる印刷画像データに変換する画像処理を行う画像処理部と、
印刷された用紙の印刷面を上にして排紙を行うフェイスアップ排紙口と、
前記フェイスアップ排紙口から排紙された用紙を積載するフェイスアップ排紙台と、
印刷された用紙の印刷面を下にして排紙を行うフェイスダウン排紙口と、
前記フェイスダウン排紙口から排紙された用紙を積載するフェイスダウン排紙台と、
前記画像処理部による画像処理が終了したページ順に前記印刷部により用紙に印刷させ、印刷された用紙を順次前記フェイスダウン排紙口に排紙させる印刷制御部とを備え、
前記印刷制御部は、前記画像処理部において原稿画像のすべてのページの画像データの画像処理が終了し、その時点における印刷残り枚数が前記フェイスアップ排紙台の最大積載量以下の場合、残りのページの逆順に前記印刷部により用紙に印刷させ、印刷された用紙を順次前記フェイスアップ排紙口に排紙させることを特徴とする印刷装置。
【請求項２】
前記印刷制御部は、前記画像処理部において原稿画像のすべての画像データの画像処理が終了した時点における印刷残り枚数が前記フェイスアップ排紙台の最大積載量より大きい場合、ページ順の印刷を継続させて順次前記フェイスダウン排紙口に排紙させ、印刷残り枚数が前記フェイスアップ排紙台の最大積載量以下となった後、残りのページの逆順に前記印刷部により用紙に印刷させ、印刷された用紙を順次前記フェイスアップ排紙口に排紙させることを特徴とする請求項１に記載の印刷装置。
【請求項３】
前記印刷制御部は、前記印刷ジョブにより複数部数の印刷が指定されている場合、部の区切りのページまでページ順で印刷させて順次前記フェイスダウン排紙口に排紙させた後、次の部からページの逆順に前記印刷部により用紙に印刷させ、印刷された用紙を順次前記フェイスアップ排紙口に排紙させることを特徴とする請求項１または２に記載の印刷装置。
【請求項４】
表示部と、
印刷対象の原稿画像のすべてのページの印刷終了後に、前記フェイスアップ排紙台に積載された用紙と、前記フェイスダウン排紙台に積載された用紙とを重ね合わせることをユーザに指示するためのガイド画面を前記表示部に表示させる表示制御部と
をさらに備えることを特徴とする請求項１乃至３のいずれか１項に記載の印刷装置。
【発明の詳細な説明】
【技術分野】
【０００１】
本発明は、フェイスアップ排紙口およびフェイスダウン排紙口を備えた印刷装置に関する。
【背景技術】
【０００２】
従来、印刷済みの用紙の印刷面を上向きにして排紙するフェイスアップ排紙口と、印刷済みの用紙の印刷面を下向きにして排紙するフェイスダウン排紙口とを備えた印刷装置が知られている。フェイスアップ排紙口では、印刷面が上向きの状態で排紙台に印刷済みの用紙が順次積み重ねられる。一方、フェイスダウン排紙口では、印刷面が下向きの状態で排紙台に印刷済みの用紙が順次積み重ねられる。
【０００３】
フェイスアップ排紙口の排紙台、およびフェイスダウン排紙口の排紙台には、それぞれ最大積載量が定められている。そこで、最大積載量を超えて排紙を行わないように、複数ページの印刷途中で一方の排紙台の最大積載量に達すると、他方の排紙台に切り替えて排紙する技術が知られている（例えば、特許文献１参照）。
【特許文献１】特開平１１−１５７７４６号公報
【発明の開示】
【発明が解決しようとする課題】
【０００４】
フェイスアップ排紙口とフェイスダウン排紙口とを備えた印刷装置においては、一方の排紙口の排紙台を標準として使用するように設定されていることがある。この場合、一方の排紙台が頻繁に使用されるため、その排紙台が短期間で最大積載量に達しやすくなる。
【０００５】
上述した従来の技術では、印刷途中で一方の排紙台の最大積載量に達すると他方の排紙台に切り替えて排紙するが、最大積載量に達した排紙台から印刷物が取り除かれるまで、後に続く他の印刷ジョブによる印刷物をその排紙台に排紙することができなくなる。このため、標準として使用する排紙口の排紙台の最大積載量にはできるだけ達しないようにすることが望ましい。
【０００６】
本発明は上記に鑑みてなされたもので、標準として使用する排紙台に積載される用紙を低減することができる印刷装置を提供することを目的とする。
【課題を解決するための手段】
【０００７】
上記目的を達成するため、本発明の印刷装置は、用紙に印刷を行う印刷部と、入力された印刷ジョブに含まれる印刷対象の原稿画像の画像データを原稿画像のページ順に、前記印刷部による印刷に用いる印刷画像データに変換する画像処理を行う画像処理部と、印刷された用紙の印刷面を上にして排紙を行うフェイスアップ排紙口と、前記フェイスアップ排紙口から排紙された用紙を積載するフェイスアップ排紙台と、印刷された用紙の印刷面を下にして排紙を行うフェイスダウン排紙口と、前記フェイスダウン排紙口から排紙された用紙を積載するフェイスダウン排紙台と、前記画像処理部による画像処理が終了したページ順に前記印刷部により用紙に印刷させ、印刷された用紙を順次前記フェイスダウン排紙口に排紙させる印刷制御部とを備え、前記印刷制御部は、前記画像処理部において原稿画像のすべてのページの画像データの画像処理が終了し、その時点における印刷残り枚数が前記フェイスアップ排紙台の最大積載量以下の場合、残りのページの逆順に前記印刷部により用紙に印刷させ、印刷された用紙を順次前記フェイスアップ排紙口に排紙させることを特徴とする。
【０００８】
また、本発明の印刷装置における前記印刷制御部は、前記画像処理部において原稿画像のすべての画像データの画像処理が終了した時点における印刷残り枚数が前記フェイスアップ排紙台の最大積載量より大きい場合、ページ順の印刷を継続させて順次前記フェイスダウン排紙口に排紙させ、印刷残り枚数が前記フェイスアップ排紙台の最大積載量以下となった後、残りのページの逆順に前記印刷部により用紙に印刷させ、印刷された用紙を順次前記フェイスアップ排紙口に排紙させることを特徴とする。
【０００９】
また、本発明の印刷装置における前記印刷制御部は、前記印刷ジョブにより複数部数の印刷が指定されている場合、部の区切りのページまでページ順で印刷させて順次前記フェイスダウン排紙口に排紙させた後、次の部からページの逆順に前記印刷部により用紙に印刷させ、印刷された用紙を順次前記フェイスアップ排紙口に排紙させることを特徴とする。
【００１０】
また、本発明の印刷装置は、表示部と、印刷対象の原稿画像のすべてのページの印刷終了後に、前記フェイスアップ排紙台に積載された用紙と、前記フェイスダウン排紙台に積載された用紙とを重ね合わせることをユーザに指示するためのガイド画面を前記表示部に表示させる表示制御部とをさらに備えることを特徴とする。
【発明の効果】
【００１１】
本発明の印刷装置によれば、標準として使用する排紙台に積載される用紙を低減することができる。
【発明を実施するための最良の形態】
【００１２】
以下、本発明の印刷装置を実施するための最良の形態について、図面を参照して説明する。
【００１３】
図１は、本発明の実施の形態に係る印刷装置の概略構成図である。図１に示すように、本実施の形態に係る印刷装置１は、給紙部２と、プリンタ部３と、フェイスアップ排紙部４と、循環搬送部５と、フェイスダウン排紙部６とを備える。
【００１４】
給紙部２は、印刷装置１の筐体の外部に露出して設置され、印刷媒体である用紙が積載載置されるサイド給紙台２１と、サイド給紙台２１から用紙を１枚ずつピックアップして搬送する給紙ローラ２２と、筐体内部に設けられ、それぞれ用紙が積載載置される複数の給紙トレイ２３ａ〜２３ｄと、給紙トレイ２３ａ〜２３ｄから用紙を１枚ずつピックアップして搬送する給紙ローラ２４ａ〜２４ｄと、サイド給紙台２１および給紙トレイ２３ａ〜２３ｄのいずれかから図１中の黒太線で示す給紙搬送路２５に沿って搬送されてきた用紙を斜行補正するとともに所定のタイミングでプリンタ部３に供給するレジストローラ２６とを備える。
【００１５】
プリンタ部３は、インクを用紙に吐出して画像を印刷するヘッドユニット３１と、給紙部２から繰り出された用紙をヘッドユニット３１に向けて搬送する搬送部３２とを備える。
【００１６】
ヘッドユニット３１は、用紙の搬送方向と直交する方向に複数のノズルが配列されたラインタイプの複数の印字ヘッド３１ａ〜３１ｄを有する。印字ヘッド３１ａ〜３１ｄは、搬送部３２の上方に所定間隔で配置され、給紙側から順に、Ｃ（シアン）、Ｋ（ブラック）、Ｍ（マゼンダ）、Ｙ（イエロー）の各色のインクを用紙に吐出するようになっている。
【００１７】
搬送部３２は、周回する環状の搬送ベルト３３と、搬送ベルト３３を周回駆動させる駆動ローラ３４と、駆動ローラ３４の従動ローラである搬送ベルトローラ３５〜３７とを備える。搬送ベルト３３は、多数の穴が空けられた無端ベルトからなり、図示しない吸引ファンにより空気を穴から吸引することにより発生する負圧で用紙を吸着して搬送する。
【００１８】
フェイスアップ排紙部４は、プリンタ部３に対して用紙の搬送方向下流側に設けられ、印刷面を上向きにして搬送部３２により搬送されてきた印刷済みの用紙を排紙するフェイスアップ排紙口４１と、フェイスアップ排紙口４１から排紙された用紙を、印刷面を上向きにして積載するフェイスアップ排紙台４２とを備える。フェイスアップ排紙台４２は、筐体から突出したトレイ形状を有し、傾斜して設置されており、傾斜の下位置に形成された壁により、フェイスアップ排紙口４１から排紙され傾斜に沿って滑落する用紙が自然に整えられて重なっていくようになっている。
【００１９】
循環搬送部５は、切替機構５１と、搬送ローラ５２，５３と、切替機構５４と、フェイスダウン排紙ローラ５５とを備え、ヘッドユニット３１により印刷された用紙を、循環反転経路５６に沿って搬送してフェイスダウン排紙部６に導くものである。
【００２０】
切替機構５１は、フェイスアップ排紙台４２へ排紙する際は、用紙をフェイスアップ排紙口４１へ導き、フェイスダウン排紙台６２へ排紙する際または両面印刷時の片面印刷後には、用紙を循環反転経路５６へ導く。循環反転経路５６へ導かれた用紙は、搬送ローラ５２，５３により、印刷面を下向きにしてフェイスダウン排紙部６へ向けて搬送される。
【００２１】
切替機構５４は、フェイスダウン排紙台６２へ排紙する際は、用紙をフェイスダウン排紙ローラ５５へ導き、両面印刷時には、用紙を後述のスイッチバック用搬送ローラ６３の方向へ導く。フェイスダウン排紙ローラ５５は、切替機構５４を経由して搬送されてきた用紙を、後述のフェイスダウン排紙口６１へ送り出す。
【００２２】
フェイスダウン排紙部６は、印刷面を下向きにして循環搬送部５により搬送されてきた印刷済みの用紙を排紙するフェイスダウン排紙口６１と、フェイスダウン排紙口６１から排紙された用紙を、印刷面を下向きにして積載するフェイスダウン排紙台６２とを備える。フェイスダウン排紙台６２は、フェイスアップ排紙台４２とは反対側において筐体から突出したトレイ形状を有し、傾斜して設置されており、傾斜の下位置に形成された壁により、フェイスダウン排紙口６１から排紙され傾斜に沿って滑落する用紙が自然に整えられて重なっていくようになっている。
【００２３】
フェイスダウン排紙台６２内には空間６２ａが設けられ、この空間６２ａの開口部の近傍には、スイッチバック用搬送ローラ６３が配置されている。両面印刷時には、片面印刷済みの用紙が切替機構５４によりスイッチバック用搬送ローラ６３に導かれ、スイッチバック用搬送ローラ６３によって空間６２ａに引き込まれてスイッチバックが行われる。その後、片面印刷済みの用紙は、搬送ローラ６４により搬送され、印刷面を下向きにした状態で再びレジストローラ２６に導かれ、レジストローラ２６により所定のタイミングでプリンタ部３に供給されて未印刷面の印刷が行われる。
【００２４】
図２は、印刷装置１の機能構成を示すブロック図である。印刷装置１は、ＣＰＵ（Central Processing Unit）、メモリ等から構成されるメイン制御部１００を備えており、ＣＰＵがメモリに格納されたプログラムにしたがって動作すること等で画像処理部１０１、印刷制御部１０２、駆動制御部１０３、表示制御部１０４が構成される。また、メモリの一部は印刷画像データ格納部１０５として機能する。
【００２５】
また、印刷装置１は、操作パネル（図示せず）等を介して、印刷条件の設定等を受け付ける操作受付部１１０と、操作パネル等に設けられ、印刷装置１に関する情報を表示する表示部１２０と、コンピュータネットワーク等に接続するための通信処理部１３０とを備える。
【００２６】
画像処理部１０１は、通信処理部１３０を介して図示しないホストコンピュータから受信した印刷ジョブに含まれる画像データを、ヘッドユニット３１等で構成される印刷部１４０による印刷に用いる印刷画像データに変換する画像処理を行う。
【００２７】
具体的には、画像処理部１０１は、画像を構成するＲ成分、Ｇ成分、およびＢ成分のデジタル画像信号を、Ｙ成分、Ｍ成分、Ｃ成分、およびＫ成分のデジタル画像信号に変換する。そして、画像処理部１０１は、Ｙ成分、Ｍ成分、Ｃ成分、およびＫ成分のデジタル画像信号における各画素データを、印字ヘッド３１ａ〜３１ｄの各ノズルからインクを吐出する際のインク量データに変換し、これを印刷画像データとして印刷画像データ格納部１０５に格納する。
【００２８】
印刷制御部１０２は、画像処理部１０１で生成された印刷画像データに基づいて、各印字ヘッド３１ａ〜３１ｄのインク吐出動作の駆動を制御することにより、印刷部１４０における印刷処理を制御する。
【００２９】
駆動制御部１０３は、印刷制御部１０２の制御の下で、搬送駆動部１５０を動作させる。搬送駆動部１５０は、搬送部３２、循環搬送部５等を駆動して用紙の搬送を行う。表示制御部１０４は、表示部１２０の表示制御を行う。
【００３０】
次に、印刷装置１の動作について、図３に示すフローチャートを参照して説明する。ここで、印刷装置１では、標準として使用する排紙台としてフェイスダウン排紙台６２が設定されているものとする。また、フェイスアップ排紙台４２およびフェイスダウン排紙台６２にはそれぞれ用紙の最大積載量が設定され、フェイスアップ排紙台４２の最大積載量がフェイスダウン排紙台６２の最大積載量より大きいものとする。
【００３１】
まず、ステップＳ１０において、メイン制御部１００は、ホストコンピュータから送信される印刷対象の原稿画像の全ページの画像データを含む印刷ジョブを、通信処理部１３０を介して受信する。印刷ジョブには、印刷部数を示す情報が含まれている。
【００３２】
ステップＳ２０では、画像処理部１０１は、受信した印刷ジョブに含まれる原稿画像の画像データを印刷部１４０による印刷に用いる印刷画像データに変換する画像処理を、原稿画像のページ順に行い、画像処理により生成した印刷画像データを印刷画像データ格納部１０５に格納する。
【００３３】
ステップＳ３０では、印刷制御部１０２は、画像処理部１０１による画像処理が終了したページから順に、印刷画像データに基づいて印字ヘッド３１ａ〜３１ｄの各ノズルからインクを吐出させて、搬送部３２により搬送される用紙に印刷するように印刷部１４０を制御する。
【００３４】
ステップＳ４０では、駆動制御部１０３は、印刷制御部１０２の制御の下、印刷が施された用紙を循環搬送部５により循環反転経路５６に沿って搬送させ、フェイスダウン排紙口６１からフェイスダウン排紙台６２に排紙させる。
【００３５】
ステップＳ５０では、印刷制御部１０２は、画像処理部１０１において、印刷ジョブに含まれる原稿画像のすべてのページの画像処理が終了したか否かを判断する。すべてのページの画像処理が終了した場合（ステップＳ５０：ＹＥＳ）、ステップＳ６０に進み、画像処理が終了していないページがある場合（ステップＳ５０：ＮＯ）、ステップＳ２０に戻る。
【００３６】
ステップＳ６０では、印刷制御部１０２は、すべてのページの画像データの画像処理が終了した時点における印刷残り枚数が、フェイスアップ排紙台４２の最大積載量以下であるか否かを判断する。フェイスアップ排紙台４２の最大積載量以下である場合（ステップＳ６０：ＹＥＳ）、ステップＳ９０に進み、フェイスアップ排紙台４２の最大積載量より大きい場合（ステップＳ６０：ＮＯ）、ステップＳ７０に進む。
【００３７】
ステップＳ７０では、印刷制御部１０２は、引き続きページ順の印刷を行うよう印刷部１４０を制御し、ステップＳ８０では、駆動制御部１０３は、印刷が施された用紙を循環搬送部５により循環反転経路５６に沿って搬送させ、フェイスダウン排紙台６２に排紙させる。その後、ステップＳ６０に戻る。
【００３８】
ステップＳ９０では、印刷制御部１０２は、印刷ジョブに含まれる印刷部数を示す情報に基づき、複数部数の印刷が指定されているか否かを判断する。複数部数の印刷が指定されている場合（ステップＳ９０：ＹＥＳ）、ステップＳ１００に進み、複数部数の印刷が指定されていない場合（ステップＳ９０：ＮＯ）、ステップＳ１３０に進む。
【００３９】
ステップＳ１００では、印刷制御部１０２は、印刷した枚数が部の区切りに達したか否かを判断する。部の区切りに達した場合（ステップＳ１００：ＹＥＳ）、ステップＳ１３０に進み、部の区切りに達していない場合（ステップＳ１００：ＮＯ）、ステップＳ１１０に進む。
【００４０】
ステップＳ１１０では、印刷制御部１０２は、引き続きページ順の印刷を行うよう印刷部１４０を制御し、ステップＳ１２０では、駆動制御部１０３は、印刷が施された用紙を循環搬送部５により循環反転経路５６に沿って搬送させ、フェイスダウン排紙台６２に排紙させる。その後、ステップＳ１００に戻る。
【００４１】
ステップＳ１３０では、印刷制御部１０２は、未印刷の残りのページを原稿画像の最終ページから逆順に印刷するよう印刷部１４０を制御する。
【００４２】
ステップＳ１４０では、駆動制御部１０３は、印刷制御部１０２の制御の下、印刷が施された用紙を切替機構５１により搬送部３２からフェイスアップ排紙口４１へ導き、フェイスアップ排紙台４２に排紙させる。
【００４３】
ステップＳ１５０では、印刷制御部１０２は、印刷ジョブに含まれる原稿画像の全ページの印刷が終了したか否かを判断する。複数部数の場合は全部数の印刷が終了したか否かを判断する。全ページの印刷が終了した場合（ステップＳ１５０：ＹＥＳ）、ステップＳ１６０に進み、全ページの印刷が終了していない場合（ステップＳ１５０：ＮＯ）、ステップＳ１３０に戻る。
【００４４】
全ページの印刷終了時には、印刷物は、フェイスダウン排紙台６２とフェイスアップ排紙台４２との２箇所に分割されて載置されている。フェイスダウン排紙台６２には、印刷面を下向きにした用紙が、下からページ順に載置されている。一方、フェイスアップ排紙台４２には、ページの逆順に印刷した用紙が印刷面を上向きにして積載されるため、印刷面を上向きにした用紙が、上からページ順に載置されている。このため、ページ順に並んだ印刷物を得るためには、２つの印刷物の束を適切に重ね合わせなければならない。
【００４５】
そこで、ステップＳ１６０において、表示制御部１０４は、フェイスダウン排紙台６２に積載された用紙とフェイスアップ排紙台４２に積載された用紙とを適切に重ね合わせることをユーザに指示するためのガイド画面を表示部１２０に表示させる。ユーザは、表示部１２０に表示されたガイド画面にしたがって２つの印刷物の束を重ね合わせることで、ページ順に並んだ印刷物を得ることができる。
【００４６】
次に、具体的な例を用いて説明する。説明の簡単のため、図４、図５に示すように、１２ページの原稿を印刷する場合を例として説明する。ここでは、４ページまで印刷した時点で、１２ページ分の画像処理が終了するものとする。また、フェイスアップ排紙台４２の最大積載量は８枚とする。
【００４７】
この場合、図４（ａ）に示すように、４ページ目までは、「１」「２」「３」「４」のページ順で印刷が行われる。なお、「Ｎ」はＮページ目を示している。そして、このようなページ順で印刷された用紙がフェイスダウン排紙口６１から排紙され、図４（ｂ）に示すように、印刷面を下にして下から「１」「２」「３」「４」の順でフェイスダウン排紙台６２に積載される。なお、図４中の反転した数字は、用紙の下面に印刷されていることを示している。
【００４８】
４ページ目までの印刷時点で１２ページ目までの画像処理が終了すると、５ページ目から１２ページ目までは、図４（ａ）に示すように、ページの逆順に「１２」「１１」…「６」「５」の順で印刷が行われる。そして、このような順で印刷された用紙がフェイスアップ排紙口４１から排紙され、図４（ｃ）に示すように、印刷面を上にして上から「５」「６」…「１１」「１２」の順でフェイスアップ排紙台４２に積載される。
【００４９】
したがって、「１」「２」…「１１」「１２」の順で積み重ねられた印刷物を得るためには、フェイスダウン排紙台６２の印刷物を、印刷面を上にしてフェイスアップ排紙台４２の印刷物に重ねればよいことになる。そこで、本実施の形態では、図５に示すような、フェイスダウン排紙台６２の印刷物を、印刷面を上にしてフェイスアップ排紙台４２の印刷物に重ねることを文字および視覚的に示すガイド画面１６０を表示部１２０に表示する。
【００５０】
なお、２ページまで印刷した時点で１２ページ分の画像処理が終了したとすると、その時点の印刷残り枚数（１０枚）がフェイスアップ排紙台４２の最大積載量より大きい（ステップＳ６０：ＮＯ）。このため、印刷残り枚数がフェイスアップ排紙台４２の最大積載量である８枚になるまで引き続きページ順の印刷が行われ、その後ページの逆順に印刷が行われる。この結果、図４（ａ）の順で印刷が行われ、図４（ｂ），（ｃ）に示すように、フェイスダウン排紙台６２およびフェイスアップ排紙台４２に印刷物が積載される。
【００５１】
次に、複数部数の印刷が指定されている場合の一例について、図６、図７を用いて説明する。ここでは、４ページの原稿を３部印刷するものとし、２ページまで印刷した時点で、４ページ分の画像処理が終了するものとする。また、フェイスアップ排紙台４２の最大積載量は１０枚とする。
【００５２】
この場合、１部目の２ページ目まで印刷した時点で４ページ分の画像処理が終了しても、部の区切りまではページ順で印刷が行われる。したがって、図６（ａ）に示すように、１部目の４ページ目まで「１」「２」「３」「４」のページ順で印刷が行われる。そして、このようなページ順で印刷された用紙がフェイスダウン排紙口６１から排紙され、図６（ｂ）に示すように、印刷面を下にして下から「１」「２」「３」「４」の順でフェイスダウン排紙台６２に積載される。
【００５３】
２部目以降は、図６（ａ）に示すように、ページの逆順に「４」「３」「２」「１」の順で印刷が行われる。そして、このような順で印刷された用紙がフェイスアップ排紙口４１から排紙され、図６（ｃ）に示すように、印刷面を上にして上から「１」「２」「３」「４」の順で、２部目および３部目の印刷物がフェイスアップ排紙台４２に積載される。
【００５４】
したがって、１部目〜３部目の印刷物がそれぞれ「１」「２」「３」「４」の順で積み重ねられた印刷物を得るためには、フェイスダウン排紙台６２の印刷物を、印刷面を上にしてフェイスアップ排紙台４２の印刷物に重ねればよいことになる。そこで、本実施の形態では、図７に示すような、フェイスダウン排紙台６２の印刷物を、印刷面を上にしてフェイスアップ排紙台４２の印刷物に重ねることを文字および視覚的に示すガイド画面１７０を表示部１２０に表示する。
【００５５】
上記説明のように本実施の形態では、原稿画像の画像データすべてのページの画像処理が終了するまでは、画像処理が終了したページ順に印刷を行ってフェイスダウン排紙台６２に排紙し、原稿画像のすべてのページの画像処理の終了後、ページの逆順に印刷を行ってフェイスアップ排紙台４２に排紙するので、標準として使用する排紙台であるフェイスダウン排紙台６２に積載される用紙を低減することができる。これにより、フェイスダウン排紙台６２が最大積載量に達して後に続く他の印刷ジョブによる印刷物をフェイスダウン排紙台６２に排紙することができなくなることを軽減することができる。
【００５６】
なお、本実施の形態では、ホストコンピュータから受信した印刷ジョブに含まれる画像データに基づいて印刷を行う場合を示したが、図示しないスキャナで読み取った原稿の画像データを用いる場合にも本発明は適用可能である。
【図面の簡単な説明】
【００５７】
【図１】本発明の実施の形態に係る印刷装置の概略構成図である。
【図２】図１に示す印刷装置の機能構成を示すブロック図である。
【図３】図１に示す印刷装置の動作を示すフローチャートである。
【図４】ページ印刷順の一例を示す図である。
【図５】ガイド画面の一例を示す図である。
【図６】ページ印刷順の他の例を示す図である。
【図７】ガイド画面の他の例を示す図である。
【符号の説明】
【００５８】
１  印刷装置
２  給紙部
３  プリンタ部
４  フェイスアップ排紙部
５  循環搬送部
６  フェイスダウン排紙部
２１  サイド給紙台
２３ａ〜２３ｄ  給紙トレイ
２６  レジストローラ
３１  ヘッドユニット
３２  搬送部
３３  搬送ベルト
４１  フェイスアップ排紙口
４２  フェイスアップ排紙台
５６  循環反転経路
６１  フェイスダウン排紙口
６２  フェイスダウン排紙台
１００  メイン制御部
１０１  画像処理部
１０２  印刷制御部
１０３  駆動制御部
１０４  表示制御部
１０５  印刷画像データ格納部
１１０  操作受付部
１２０  表示部
１３０  通信処理部
１４０  印刷部
１５０  搬送駆動部
１６０，１７０  ガイド画面
【図１】
2010095326.tif 000003
【図２】
2010095326.tif 000004
【図３】
2010095326.tif 000005
【図４】
2010095326.tif 000006
【図５】
2010095326.tif 000007
【図６】
2010095326.tif 000008
【図７】
2010095326.tif 000009